(57)【要約】【課題】  従来の糖鎖解析方法では不可能であった蛍光等の標識を用いない非侵襲な、且つ簡便に使用することのできるリアルタイム細胞診断ツール、及びそれを用いて目的細胞の糖鎖を検出する方法を提供すること。【解決手段】  負電荷等の物理的特性の変化を検出する検出表面１６を有し、この検出表面１６が、シアル酸試料（細胞そのもの又は細胞由来の糖鎖）と結合するフェニルボロン酸基１４で被覆されていることを特徴とするバイオセンサ。【選択図】      図１
2010107496.tif 000002
【特許請求の範囲】
【請求項１】
検出表面を有し、この検出表面が、細胞糖鎖由来のシアル酸と結合するフェニルボロン酸基で被覆されている
ことを特徴とするバイオセンサ。
【請求項２】
請求項１記載のバイオセンサにおいて、
金属層と、
この金属層上に化学吸着により形成された有機分子の自己組織化単分子膜と、
この自己組織化単分子膜の上記金属層とは反対側の面に導入され前記検出表面を構成するフェニルボロン酸基と
を有することを特徴とするバイオセンサ。
【請求項３】
請求項１記載のバイオセンサにおいて、
前記検出表面にシアル酸が結合することによる光特性、振動特性、電気的特性を含む物理的特性のいずれか１以上の変化を検出するための検出媒体を有し、
前記検出表面はこの検出媒体に形成されている
ことを特徴とするバイオセンサ。
【請求項４】
請求項３記載のバイオセンサにおいて、
前記検出媒体は、電界効果トランジスタのゲートである
ことを特徴とするバイオセンサ。
【請求項５】
請求項４記載のバイオセンサにおいて、
ゲート上に設けられた金属層と、
この金属層上に化学吸着により形成された有機分子の自己組織化単分子膜と、
この自己組織化単分子膜の上記金属層とは反対側の面に導入され前記検出表面を構成するフェニルボロン酸基と
を有することを特徴とするバイオセンサ。
【請求項６】
請求項４記載のバイオセンサにおいて、
前記ゲート上に設けられた第１の金属層と、
前記ゲートから離間して設けられ、前記第１の金属層と導電性配線を介して接続された第２の金属層と、
この第２の金属層上に化学吸着により形成された有機分子の自己組織化単分子膜と、
この自己組織化単分子膜の上記基板とは反対側の面に導入され前記検出表面を構成するフェニルボロン酸と
を有することを特徴とするバイオセンサ。
【請求項７】
請求項３記載のバイオセンサにおいて、
前記検出媒体は、その外面に前記検出表面が形成されてなる光導波部材または圧電部材であり、
前記シアル酸が前記フェニルボロン酸基に結合した際に、前記光導波部材または圧電部材と検出表面との境界部分での光学特性及び／又は振動特性が変化される
ものであることを特徴とするバイオセンサ。
【請求項８】
細胞糖鎖由来のシアル酸を検出する方法であって、
細胞糖鎖を含有する被験試料を用意する工程と、
検出表面を有し、この検出表面が、前記被験試料中のシアル酸と結合するフェニルボロン酸基で被覆されているバイオセンサを用意する工程と、
前記用意した被験試料を前記バイオセンサに接触させる工程と、
前記被験試料中のシアル酸と前記フェニルボロン酸基とが反応することによって変化する光特性、振動特性、電気的特性を含む物理的信号を検出する工程と、
を有するものであることを特徴とする方法。
【請求項９】
請求項８記載の方法において、
前記バイオセンサは、
金属層と、
この金属層上に化学吸着により形成された有機分子の自己組織化単分子膜と、
この自己組織化単分子膜の上記金属層とは反対側の面に導入され前記検出表面を構成するフェニルボロン酸基と
を有するものであることを特徴とする方法。
【請求項１０】
請求項８記載の方法において、
前記検出する工程は、
前記検出表面にシアル酸が結合することによる光特性、振動特性、電気的特性を含む物理的特性のいずれか１以上の変化を検出するための検出媒体を介して行われ、
前記検出表面はこの検出媒体に形成されているものである
ことを特徴とする方法。
【請求項１１】
請求項１０記載の方法において、
前記検出する工程は、前記検出媒体としての電界効果トランジスタのゲートを介しておこなわれるものである
ことを特徴とする方法。
【請求項１２】
請求項１１記載の方法において、
前記バイオセンサは、
ゲート上に設けられた金属層と、
この金属層上に化学吸着により形成された有機分子の自己組織化単分子膜と、
この自己組織化単分子膜の上記金属層とは反対側の面に導入され前記検出表面を構成するフェニルボロン酸基と
を有するものであることを特徴とする方法。
【請求項１３】
請求項１１記載の方法において、
このバイオセンサは、
前記ゲート上に設けられた第１の金属層と、
前記ゲートから離間して設けられ、前記第１の金属層と導電性配線を介して接続された第２の金属層と、
この第２の金属層上に化学吸着により形成された有機分子の自己組織化単分子膜と、
この自己組織化単分子膜の上記基板とは反対側の面に導入され前記検出表面を構成するフェニルボロン酸と
を有するものであることを特徴とする方法。
【請求項１４】
請求項１０記載の方法において、
前記検出する工程は、外面に前記検出表面が形成されてなる光導波部材または圧電部材である検出媒体を介して行われ、
前記シアル酸が前記フェニルボロン酸基に結合した際の、前記光導波部材または圧電部材と検出表面との境界部分での光学特性及び／又は振動特性の変化を検出するものである
ことを特徴とする方法。
【請求項１５】
請求項１記載のバイオセンサを含む、細胞糖鎖由来のシアル酸を検出するための検出キット。
【請求項１６】
生体由来の試料中における疾患細胞の存否を判定する方法であって、
細胞糖鎖を含有する被験試料を前記生体から採取する工程と、
検出表面を有し、この検出表面が、前記被験試料中のシアル酸と結合するフェニルボロン酸基で被覆されているバイオセンサを用意する工程と、
前記採取した被験試料を前記バイオセンサに接触させる工程と、
前記被験試料中のシアル酸と前記フェニルボロン酸基とが反応することによって変化する光特性、振動特性、電気的特性を含む物理的信号を検出する工程と、
前記検出した物理的信号と、正常細胞を前記バイオセンサに供した際に得られる物理的信号とを比較する工程と、
前記比較した結果に基づいて、前記被験試料が疾患細胞であるか否かを判定する工程と
を有することを特徴とする、方法。
【請求項１７】
請求項１６記載の方法において、
前記疾患は、糖尿病、肺癌、食道癌、胃癌、直腸癌、肝臓癌、膵臓癌、腎臓癌、皮膚癌、膀胱癌、乳癌、子宮癌、膣癌、白血病、骨肉腫、脳腫瘍、脊髄腫瘍、神経芽細胞腫、甲状腺癌、前立腺癌、外陰癌から成る群から選択されるものである。
【請求項１８】
請求項１６記載の方法において、
前記判定する工程は、
前記検出した物理的信号に係る値／前記正常細胞における物理的信号に係る値
によって得られる値が０．９以下、または１．１以上である場合に疾患細胞であると判定するものである。
【発明の詳細な説明】
【技術分野】
【０００１】
本発明は、バイオセンサに関し、特に、細胞糖鎖由来のシアル酸の検出・解析に利用することができるバイオセンサに関するものである。
【背景技術】
【０００２】
近年、遺伝子やタンパク質の構造機能解析を中心とするポストゲノム研究に続くポスト・ポストゲノム研究として、細胞の糖鎖解析が注目されている。糖鎖は、細胞間の相互作用に深く関わり、その構造は、様々な疾患、免疫や発生における異常、老化といった「細胞の状態」を反映して変化するため、しばしば「細胞の顔」とも形容される。また、腫瘍マーカーに代表されるバイオマーカーの多くは糖鎖であると考えられているため、癌の発生など生物機能と密接に関連した機能糖鎖を探索することが急務とされている。
【０００３】
さらに、医療現場においても、患者の医療方針を迅速に決定するために、バイオマーカーとしての糖鎖を解析することによって、多量の目的細胞の状態を迅速に解析することが求められている。
【０００４】
このような糖鎖解析の手段としては、従来から、ＵＶや蛍光等によって細胞中の糖鎖を標識する方法が採られていた。例えば、非特許文献１では、シアリダーゼ又は酸で遊離した糖鎖由来のシアル酸を、蛍光試薬である１，２−ｄｉａｍｉｎｏ−４，５−ｍｅｔｈｙｌｅｎｅｄｉｏｘｙｂｅｎｚｅｎｅ（ＤＭＢ）で誘導体化し、高速液体クロマトグラフィー（ＨＰＬＣ）を用いてシアル酸を定量している。また、遊離させたシアル酸をシアル酸アルドラーゼによってＮ−アシルマンノサミンに変換し、そのＮ−アシルマンノサミンを酸加水分解することによって、シアル酸を定量する方法も開発されている（特許文献１）。
【先行技術文献】
【特許文献】
【０００５】
【特許文献１】特開２０００−３３３６９８号公報
【非特許文献】
【０００６】
【非特許文献１】Ａｎａｌｙｔｉｃａｌ  Ｂｉｏｃｈｅｍｉｓｔｒｙ  １７９，１６２−１６６（１９８９）
【発明の概要】
【発明が解決しようとする課題】
【０００７】
ところで、上述のような糖鎖を標識する糖鎖解析の方法は、目的の細胞を標識するために、標識専用の機器や標識のための施設を用意しなければならない。このような機器や施設は、多くの場合、大型であり且つ高価であるため、糖鎖解析をするためには経済的な負担が大きい。
【０００８】
また、解析対象となる細胞をまず標識化し、その後、解析を行うという二段階の工程を経る必要があるため、医療現場などで求められる糖鎖解析の高速化・ハイスループット化に応えることができない。
【０００９】
本発明は、このような状況を鑑みてなされたものであり、従来の糖鎖解析方法では不可能であった蛍光等の標識を用いない非侵襲な、且つ簡便に使用することのできるリアルタイム細胞診断ツール、及びそれを用いて目的細胞の糖鎖を検出する方法を提供することを目的とする。  
【課題を解決するための手段】
【００１０】
本願発明の第１の主要な観点によれば、検出表面を有し、この検出表面が、細胞糖鎖由来のシアル酸と結合するフェニルボロン酸基で被覆されていることを特徴とするバイオセンサが提供される。
【００１１】
このような構成によれば、上記細胞糖鎖由来のシアル酸との結合により、上記検出表面に物理的変化を生じさせることができるため、たとえば、電界効果トランジスタ、光導波部材、又は圧電部材を利用してシアル酸を検出することができる。
【００１２】
本発明の一の実施形態によれば、このバイオセンサは、金属層と、この金属層上に化学吸着により形成された有機分子の自己組織化単分子膜と、この自己組織化単分子膜の上記金属層とは反対側の面に導入され前記検出表面を構成するフェニルボロン酸基とを有するものである。
【００１３】
ここで、前記バイオセンサは、前記検出表面にシアル酸が結合することによる光特性、振動特性、電気的特性を含む物理的特性のいずれか１以上の変化を検出するための検出媒体を有し、前記検出表面はこの検出媒体に形成されているのが好ましい。
【００１４】
例えば、前記検出媒体は、電界効果トランジスタのゲートであっても良く、この場合、このバイオセンサは、ゲート上に設けられた金属層と、この金属層上に化学吸着により形成された有機分子の自己組織化単分子膜と、この自己組織化単分子膜の上記金属層とは反対側の面に導入され前記検出表面を構成するフェニルボロン酸基とを有することが好ましい。
【００１５】
また同様に、前記検出媒体が電界効果トランジスタのゲートである場合、このバイオセンサは、前記ゲート上に設けられた第１の金属層と、前記ゲートから離間して設けられ、前記第１の金属層と導電性配線を介して接続された第２の金属層と、この第２の金属層上に化学吸着により形成された有機分子の自己組織化単分子膜と、この自己組織化単分子膜の上記基板とは反対側の面に導入され前記検出表面を構成するフェニルボロン酸とを有するものであっても良い。
【００１６】
また、前記検出媒体は、その外面に前記検出面が形成されてなる光導波部材または圧電部材であっても良く、この場合、前記シアル酸が前記フェニルボロン酸基に結合した際に、前記光導波部材または圧電部材と検出面との境界部分での光学特性及び／又は振動特性が変化させるものであることが好ましい。
【００１７】
また、この発明の第２の主要な観点によれば、細胞糖鎖由来のシアル酸を検出する方法であって、細胞糖鎖を含有する被験試料を用意する工程と、検出表面を有し、この検出表面が、前記被験試料中のシアル酸と結合するフェニルボロン酸基で被覆されているバイオセンサを用意する工程と、前記用意した被験試料を前記バイオセンサに接触させる工程と、前記被験試料中のシアル酸と前記フェニルボロン酸基とが反応することによって変化する光特性、振動特性、電気的特性を含む物理的信号を検出する工程と、を有するものであることを特徴とする方法が提供される。
【００１８】
このような構成によれば、上述した第１の観点に係るバイオセンサを用いた、細胞糖鎖由来のシアル酸を検出する方法が提供される。
【００１９】
本発明の一の実施形態によれば、上記第２の観点に係る方法において、前記バイオセンサは、金属層と、この金属層上に化学吸着により形成された有機分子の自己組織化単分子膜と、この自己組織化単分子膜の上記金属層とは反対側の面に導入され前記検出表面を構成するフェニルボロン酸基とを有するものである。
【００２０】
ここで、この方法において、前記検出する工程は、前記検出表面にシアル酸が結合することによる光特性、振動特性、電気的特性を含む物理的特性のいずれか１以上の変化を検出するための検出媒体を介して行われ、前記検出表面はこの検出媒体に形成されているものであることが好ましい。
【００２１】
例えば、前記検出する工程は、前記検出媒体としての電界効果トランジスタのゲートを介して行われても良く、この場合、前記バイオセンサは、ゲート上に設けられた金属層と、この金属層上に化学吸着により形成された有機分子の自己組織化単分子膜と、この自己組織化単分子膜の上記金属層とは反対側の面に導入され前記検出表面を構成するフェニルボロン酸基とを有するものであることが好ましい。
【００２２】
また同様に、前記検出する工程が前記検出媒体としての電界効果トランジスタのゲートを介して行われる場合、このバイオセンサは、前記ゲート上に設けられた第１の金属層と、前記ゲートから離間して設けられ、前記第１の金属層と導電性配線を介して接続された第２の金属層と、この第２の金属層上に化学吸着により形成された有機分子の自己組織化単分子膜と、この自己組織化単分子膜の上記基板とは反対側の面に導入され前記検出表面を構成するフェニルボロン酸とを有するものであっても良い。
【００２３】
また、この方法において、前記検出する工程は、外面に前記検出表面が形成されてなる光導波部材または圧電部材である検出媒体を介して行われ、前記シアル酸が前記フェニルボロン酸基に結合した際の、前記光導波部材または圧電部材と検出表面との境界部分での光学特性及び／又は振動特性の変化を検出するものであることが好ましい。
【００２４】
また、この発明の第３の主要な観点によれば、上述の第１の主要な観点に係るバイオセンサを有する、細胞糖鎖由来のシアル酸を検出するための検出キットが提供される。
【００２５】
このような構成によれば、上述した第１の観点に係るバイオセンサを用いた、細胞糖鎖由来のシアル酸を検出するための検出キットが提供される。
【００２６】
また、この発明の第４の主要な観点によれば、生体由来の試料中における疾患細胞の存否を判定する方法であって、細胞糖鎖を含有する被験試料を前記生体から採取する工程と、検出表面を有し、この検出表面が、前記被験試料中のシアル酸と結合するフェニルボロン酸基で被覆されているバイオセンサを用意する工程と、前記採取した被験試料を前記バイオセンサに接触させる工程と、前記被験試料中のシアル酸と前記フェニルボロン酸基とが反応することによって変化する光特性、振動特性、電気的特性を含む物理的信号を検出する工程と、前記検出した物理的信号と、正常細胞を前記バイオセンサに供した際に得られる物理的信号とを比較する工程と、前記比較した結果に基づいて、前記被験試料が疾患細胞であるか否かを判定する工程とを有することを特徴とする、方法が提供される。
【００２７】
このような構成によれば、上述した第１の観点に係るバイオセンサを用いた、生体由来の試料中における疾患細胞の存否を判定する方法が提供される。
【００２８】
この場合、前記疾患は、糖尿病、肺癌、食道癌、胃癌、直腸癌、肝臓癌、膵臓癌、腎臓癌、皮膚癌、膀胱癌、乳癌、子宮癌、膣癌、白血病、骨肉腫、脳腫瘍、脊髄腫瘍、神経芽細胞腫、甲状腺癌、前立腺癌、外陰癌から成る群から選択されるものであることが好ましい。
【００２９】
また第４の主要な観点に係る方法において、前記判定する工程は、  
前記検出した物理的信号に係る値／前記正常細胞における物理的信号に係る値
によって得られる値が０．９以下、または１．１以上である場合に疾患細胞であると判定するものであることが好ましい。
【００３０】
また、本発明の一の実施形態によれば、上記第３の観点に係る方法において、上記第２の観点に係る方法と同様に、前記バイオセンサは、金属層と、この金属層上に化学吸着により形成された有機分子の自己組織化単分子膜と、この自己組織化単分子膜の上記金属層とは反対側の面に導入され前記検出表面を構成するフェニルボロン酸基とを有するものである。
【００３１】
ここで、この方法において、前記検出する工程は、前記検出表面にシアル酸が結合することによる光特性、振動特性、電気的特性を含む物理的特性のいずれか１以上の変化を検出するための検出媒体を介して行われ、前記検出表面はこの検出媒体に形成されているものであることが好ましい。
【００３２】
例えば、前記検出する工程は、前記検出媒体としての電界効果トランジスタのゲートを介して行われても良く、この場合、前記バイオセンサは、ゲート上に設けられた金属層と、この金属層上に化学吸着により形成された有機分子の自己組織化単分子膜と、この自己組織化単分子膜の上記金属層とは反対側の面に導入され前記検出表面を構成するフェニルボロン酸基とを有するものであることが好ましい。
【００３３】
また同様に、前記検出する工程が前記検出媒体としての電界効果トランジスタのゲートを介して行われる場合、このバイオセンサは、前記ゲート上に設けられた第１の金属層と、前記ゲートから離間して設けられ、前記第１の金属層と導電性配線を介して接続された第２の金属層と、この第２の金属層上に化学吸着により形成された有機分子の自己組織化単分子膜と、この自己組織化単分子膜の上記基板とは反対側の面に導入され前記検出表面を構成するフェニルボロン酸とを有するものであっても良い。
【００３４】
また、この方法において、前記検出する工程は、外面に前記検出表面が形成されてなる光導波部材または圧電部材である検出媒体を介して行われ、前記シアル酸が前記フェニルボロン酸基に結合した際の、前記光導波部材または圧電部材と検出表面との境界部分での光学特性及び／又は振動特性の変化を検出するものであることが好ましい。
【００３５】
なお、上記した以外の本発明の特徴及び顕著な作用・効果は、次の発明の実施形態の項及び図面を参照することで、当業者にとって明確となる。
【図面の簡単な説明】
【００３６】
【図１】図１は、本発明の第１の実施形態に係るバイオセンサを用いた検出システムを示す全体模式図である。
【図２】図２は、本発明の第１の実施形態に係るバイオセンサの検出表面におけるシアル酸とフェニルボロン酸基との結合を示す模試図である。
【図３】図３は、シアル酸とフェニルボロン酸基との反応の化学反応式を示す図である。
【図４】図４は、本発明の第１の実施形態に係るバイオセンサによって検出したフリーのシアル酸を示すグラフである。
【図５】図５は、本発明の第１の実施形態に係るバイオセンサによって検出したウサギ赤血球表面シアル酸を示すグラフである。
【図６】図６は、肺転移癌モデルマウスの作製を示す図である。
【図７】図７は、転移度の異なる肺転移癌モデルマウスを示す図である。
【図８】図８は、本発明に係るバイオセンサを用いて得られる閾値値電圧と癌転移度の関係を示すグラフである。
【図９】図９は、本発明の第２の実施形態に係るバイオセンサを示す模式図である。
【図１０】図１０は、本発明の第３の実施形態に係るバイオセンサを用いた検出システムを示す全体模式図である。
【図１１】図１１は、本発明の第４の実施形態に係るバイオセンサを用いた検出システムを示す全体模式図である。
【発明を実施するための形態】
【００３７】
以下、本願発明の一実施形態および実施例を、添付図面を参照して説明する。
（第１の実施形態）
まず、この発明の第１の実施形態を図１〜図５を参照して説明する。
【００３８】
この第１の実施形態は、電界効果トランジスタ（Ｆｉｅｌｄ  Ｅｆｆｅｃｔ  Ｔｒａｎｓｉｓｔｏｒ：ＦＥＴ）を用いて本発明のバイオセンサを構成した例である。
【００３９】
図１は、バイオセンサを用いた検出システム１を示す全体模式図である。  
この検出システム１は、例えば、プリント実装基板２上に、バイオセンサ部３と、このバイオセンサ部３に信号を与えて駆動させるセンサ駆動回路部４と、基板全体に電源を供給する給電部５と、前記バイオセンサ部３からの出力を処理して検出信号を出力する検出回路部６と、前記検出信号を外部に出力するための出力インタフェース（出力ＩＦ）部７と、が一体的に形成され、集積化されてなる。
【００４０】
上記バイオセンサ部３に設けられたバイオセンサ８は、半導体基板９の表面に形成されたソース１０及びドレイン１１と、この半導体基板９上に形成されたゲート１２とからなる電界効果トランジスタ（ＦＥＴ）構造を有する。そして、前記ゲート１２の表面には金属層１３を介して、フェニルボロン酸基１４が被覆され、この発明の検出表面１６を構成している。この検出表面１６は測定セル壁１５で囲まれ、これにより検出領域が区画されている。
【００４１】
このようなバイオセンサ８によれば、上記ゲート１２に対して例えば参照電極１７を用いて電圧を印加し、この状態で上記検出表面１６に細胞糖鎖由来のシアル酸試料（細胞そのもの又は細胞由来の糖鎖）を導入すると、試料中のシアル酸が検出表面１６に被覆されたフェニルボロン酸基１４と結合することにより、ソース１０とドレイン１１との間を流れる電流値に変化が生じる。この電流の変化は電流計１８でサンプリングされ、前記検出回路部６で処理され所定の検出信号として出力ＩＦ部７から取り出されるようになっている。
【００４２】
なお、この例では、上記バイオセンサ部３に電源１９が含まれるように図示されているが、実際には、上記プリント実装基板２上に実装されたセンサ駆動回路部４によって駆動されるようになっており、このセンサ駆動回路部４に給電するための給電部５も同様に実装されている。
【００４３】
この実施形態は、バイオセンサ部３を含めてすべての構成を単一のプリント実装基板２上に集積化することが可能であり、非常に小型でかつ簡便な構成により細胞糖鎖由来のシアル酸を検出することができるバイオセンサ及びバイオセンサシステムを得ることができる。
【００４４】
また、電界効果トランジスタ（ＦＥＴ）は、検出表面１６上に捉えた分子固有電荷をトランジスタ特性変化と同期させて検出する全くの非侵襲・非標識計測法であり、リアルタイム計測であること、レーザーや光学系が不要なため安価で小型化に有利であること、また半導体加工技術による高密度・超並列化が容易に行える点など、ハイスループットシステム化において求められる主要要件を潜在的に網羅する。
【００４５】
次に、図２を参照して、前記検出表面１６の構成を詳細に説明する。  
図２は、細胞糖鎖２０由来のシアル酸２１と、前記検出表面１６に被着されたフェニルボロン酸基１４との結合を示す模式図である。
【００４６】
前述したように、この発明は、バイオセンサの検出表面１６が細胞糖鎖２０由来のシアル酸２１と結合するフェニルボロン酸基１４で被覆されてなり、シアル酸２１とフェニルボロン酸基１４の結合により生じる前記検出表面の物理変化、すなわち図２中の負電荷２２の発生を検出することを要旨とするものである。
【００４７】
このような検出表面１６を構成するため、この実施形態では、ゲート１２上に、金属層１３としてのＡｕ蒸着薄膜を形成し、この蒸着薄膜上に、化学吸着により形成された有機分子の自己組織化単分子膜（ＳＡＭ）２３を形成する。そして、この自己組織化単分子膜２３の上記金属層１３とは反対側の末端に、縮合反応等によってフェニルボロン酸基１４を導入している。
【００４８】
このような自己組織化単分子膜２３を用いた構成によれば、フェニルボロン酸基１４とシアル酸２１の結合が生じる検出表面１６をＦＥＴのゲート１２に非常に近い位置に構成することがきる。このことで、ＦＥＴ内でシアル酸−フェニルボロン酸基の結合による検出表面１６の物理変化、この例では検出表面１６の電荷２２の変化、を精度よくかつ容易に検出行うことができる。
【００４９】
図３は、上記のようなシアル酸とフェニルボロン酸基との結合によって負電荷が発生することを示す化学反応式である。この例では、３−プロピオンアミドフェニルボロン酸とシアル酸との結合を示す。ｐＨ７．４の水溶液中においては、ボロン酸−シアル酸間の結合が、他の糖化合物との結合に対して支配的となる（Ｈ．Ｏｔｓｕｋａ  ｅｔ  ａｌ．，Ｊ．Ａｍ．Ｃｈｅｍ．Ｓｏｃ．１２５，３４９３，（２００３））。ここで、シアル酸はカルボキシル基に由来する負電荷を有しており、本願発明に係るバイオセンサ８では、検出表面１６上において、この負電荷をＦＥＴで検出するようにしている。
【００５０】
なお、ここで、本明細書中「シアル酸」とは、以下の化学式を有し、ノイラミン酸（ｎｅｕｒａｍｉｎｉｃ  ａｃｉｄ）のアミノ基やヒドロキシ基が置換された物質を総称するファミリー名を指すものとする。
【００５１】
【化１】
2010107496.tif 000003
【００５２】
シアル酸は、糖鎖中に最も高頻度に、そして糖鎖末端に多く存在する分子であり、その密度や分布は、細胞の疾病（癌、転移、生活習慣病、自己免疫病）や発生、分化など種々細胞現象と強く相関する。また糖鎖シアル酸にはいくつかの誘導体が知られるが、癌化した細胞ではそれらの密度や組成が顕著に異なることが報告されている（Ｈａｋｏｍｏｒｉ，Ｓ．ＣａｎｃｅｒＲｅｓ．１９８５，４５，２４０５−２４１４）。さらに特筆すべきことに、これらシアル酸誘導体とフェニルボロン酸の相互作用の強さは、フェニルボロン酸基のフェニル環置換基構造により制御することが可能である。ごく最近では、特殊な置換基導入により特定の糖鎖構造に対する認識能を獲得したフェニルボロン酸分子設計の例も報告されている（Ｄｏｗｌｕｔ，Ｍ．；Ｈａｌｌ，Ｄ．Ｇ．Ｊ．Ａｍ．Ｃｈｅｍ．Ｓｏｃ．２００５，１２８，４２２６−４２２７）。
【００５３】
したがって、この発明のバイオセンサを用いることにより、癌、転移、生活習慣病、自己免疫病の検知、予防及び治療を非侵襲・非標識法により簡便に行うことが可能になる。
【００５４】
また、前記シアル酸は、細胞糖鎖中に存在している状態のものでも良く、又は酵素等によって細胞から採取された糖鎖試料中に存在するシアル酸であっても良い。
【００５５】
また、本願明細書において使用する「フェニルボロン酸基」とは、以下の化学式を指す。
【００５６】
【化２】
2010107496.tif 000004
【００５７】
なお、この実施形態では、検出表面を構成するフェニルボロン酸基として、３−ａｃｒｙｌａｍｉｄｏｐｈｅｎｙｌｂｏｒｏｎｉｃ  ａｃｉｄの例を示すが、上記構造式を有する化合物であれば、任意の化合物でも良い。
【００５８】
また、ＦＥＴは、従来のバイオセンサまたは相補型金属酸化膜半導体（Ｃｏｍｐｌｅｍｅｎｔａｒｙ  Ｍｅｔａｌ  Ｏｘｉｄｅ  Ｓｅｍｉｃｏｎｄｕｃｔｏｒ：ＣＭＯＳ）素子などに使用されるどんなＦＥＴも使用可能で、ｎ−ＭＯＳやｐ−ＭＯＳのいずれも使用可能である。このＦＥＴは、キャリア（自由電子または正孔）を供給するソース、前記ソースで供給されたキャリアが到達するドレイン、および前記ソースとドレインとの間のキャリアの流れを制御するためのゲートから構成されているものであればよい。
【００５９】
また、ゲート上に形成される前記金属層は、前記ＳＡＭとフェニルボロン酸基とが導入されることのできる任意の材質であっても良いが、好ましくは、Ａｕ、ＳｉＯ２、ＴｉＯ２、およびＡｌ２Ｏ３からなる群から選択されたいずれか一種の材質からなることが好ましい。
【００６０】
以下、この第１の実施形態による実施例を説明する。
【実施例】
【００６１】
（実験方法）
ＦＥＴのゲート１２として金蒸着基板を用い、ここへ１０−ｃａｒｂｏｘｙ−１−ｄｅｃａｎｅｔｈｉｏｌによる自己組織化単分子膜（ＳＡＭ）をあらかじめ形成した。ＳＡＭのカルボキシル基末端へ、縮合反応により３−ａｃｒｙｌａｍｉｄｏｐｈｅｎｙｌｂｏｒｏｎｉｃ  ａｃｉｄを導入することでバイオセンサである「シアル酸認識トランジスタ」を作成した。作成したゲート１２上に種々の単糖、ウサギ赤血球（未処理およびシアリダーゼ処理）を所定濃度（ｐＨ７．４  ＰＢＳ−０．９％  ＮａＣｌ）で添加しながら、リアルタイムＦＥＴ計測装置を用いてゲート表面電位変化の観測を行った。
【００６２】
（結果）
作成したバイオセンサによるフリーのシアル酸検出結果を図４に示す。添加シアル酸濃度３００−９００μＭの領域においてゲート表面電位は顕著に変化し、９００μＭ以上の濃度では飽和した。図４で観測される負方向への電位シフトはシアル酸中のカルボキシル基に対応している。対照として行ったボロン酸を導入していないゲートを用いた測定、またコントロール単糖として、グルコース、ガラクトース、マンノースを添加して行った測定においては、いずれも全く（１０ｍＭまで確認）検出されなかった。以上のように、作製したトランジスタは１００μＭ程度の感度でフリーのシアル酸を特異的に感受することが明らかとなった。
【００６３】
図５は、ＦＥＴのゲート１２上にウサギ赤血球を連続的に播種した際の赤血球濃度と電位変化の関係を示している。シアリダーゼ処理によりシアル酸ユニットを部分的に切断した場合、未処理に比べて小さな電位変化が観測された。これは主に糖鎖末端部におけるシアル酸除去により、フェニルボロン酸基との特異的な結合を介した赤血球のゲート表面への接着性が減じるためと考えられる。
【００６４】
（結論）
「シアル酸認識トランジスタ」を作成し、細胞表面上の糖鎖シアル酸密度の差異を非侵襲かつ非標識に検出することに成功した。シアル酸を「細胞の顔」と見立て、これを糖鎖プロファイリング（特徴抽出）のターゲットとすることで、従来よりも簡便で安価かつ迅速な細胞診断技術の創出に発展させることができる。
【００６５】
（第１の実施形態を用いた方法）
上記実施例において、特定の細胞におけるシアル酸を検出する方法を提供することができることを説明したが、本実施形態に係るＦＥＴを用いることによって、さらに、特定の疾患細胞の存否を判定する方法を提供することができる。この場合、シアル酸を検出する方法と同様に、本実施形態に係るＦＥＴの検出表面に、糖鎖を有する細胞を播種することによって、当該細胞が特定の疾患に罹患しているか否かを判定する。
【００６６】
ここで、上記判定は、特定の疾患に罹患した細胞表面の糖鎖では、正常細胞の表面の糖鎖よりもシアル酸量が少ない又は多いことを利用して行う。例えば、ある種の糖尿病に罹患した患者の赤血球では細胞表面のシアル酸量が減少していることが知られている。また、癌化に伴い糖鎖修飾の変異が生じることも知られており、ある種の癌に罹患した患者の当該疾患細胞の糖鎖ではシアル酸量が増加していることが知られている。このような現象を利用して、正常細胞におけるシアル酸量と疾患細胞におけるシアル酸量とを比較して、正常細胞におけるシアル酸量よりも疾患細胞におけるシアル酸量が有意差を持って増加または減少している場合に、疾患細胞と判定することができる。
【００６７】
正常細胞におけるシアル酸量と疾患細胞におけるシアル酸量とを比較する場合には、その量的関係から、単純に、一方の測定値を他方の測定値で除法し、その結果の値が０．９以下、または１．１以上である場合に疾患細胞であると判定することもできる。好ましくは、前記結果の値が０．７以下、または１．３以上である場合に疾患細胞であると判定する。さらに好ましくは、前記結果の値が０．５以下、または１．５以上である場合に疾患細胞であると判定する。なお、この場合、前記除法をする前に、必要に応じて前記測定値を標準化処理しても良い。
【００６８】
なお、上述のように、疾患に伴う細胞糖鎖修飾の構造的変化を基に判定を行うことができることに加え、さらに、疾患細胞において、例えばルシフェラーゼやＧＦＰ等の蛍光物質等が発現するように構成しておき、その発現頻度と照合することによって、補足的に、シアル酸の発現（増加又は減少）を確認するようにしても良い。
【００６９】
また、上述した特定の疾患細胞の存否を判定する方法において、当該疾患は、その疾患によって細胞糖鎖修飾が変異または構造的に変化することが知られている疾患であれば、いずれの疾患であっても良い。特に、その疾患によって細胞糖鎖におけるシアル酸量が変化することが知られている疾患であることが好ましい。例えば、上記したように、糖尿病やある種の癌ではその細胞糖鎖におけるシアル酸量が増加又は減少することが知られている。その他、細胞増殖能に異常が見られる白血病、骨肉腫、神経芽細胞腫などにおいても適用可能である。
【００７０】
また、特定の疾患細胞の存否を判定する方法では、特定の細胞におけるシアル酸を検出する方法に用いるＦＥＴと同様のものを使用できる。例えば、上述した図１で示したように、上記２つの方法で用いるＦＥＴにおいては、ゲート１２の表面には金属層１３を介してフェニルボロン酸基１４が被覆され、また検出表面１６は測定セル壁１５で囲まれ、これにより検出領域が区画されている。
【００７１】
さらに、上述した特定の疾患細胞の存否を判定する方法を用いることによって、癌の転移度を測定することもできる。この場合、試料として生体から採取した全細胞当たりの疾患細胞であると判定された細胞を算出することで転移度を求めることができる。なお、本願明細書において使用する「転移度」とは、ある臓器若しくは部位における癌細胞の割合を指すものであり、転移度を測定する臓器若しくは部位とは別の臓器若しくは部位に存在する癌由来の癌がどれくらい転移したかを特定するものである。
【００７２】
また、上記した方法において、本実施形態に係るＦＥＴに細胞を播種する前に、当該細胞をセルストレイナーによって濾過し、凝集した細胞塊を除去することが好ましい。このセルストレイナーによる濾過によって、被験対象となる各細胞がバラバラになり、より正確に当該細胞におけるシアル酸量を検出することができる。
【００７３】
また、被験対象となる細胞は、疾患毎に異なる種類の細胞を用いることができる。この場合、その細胞の選択基準は、例えば、各疾患においてその疾患状態を適切に反映し得る細胞であることであり、選択される細胞としては、例えば、糖尿病であれば全血における赤血球であり、肺癌であれば肺細胞が挙げられる。
【００７４】
以下に、本実施形態に係るＦＥＴを用いて特定の疾患細胞の存否を判定した場合の実験例を、図６〜８を用いて説明する。
【００７５】
（特定の疾患細胞の存否を判定する方法に係る実験方法およびその結果）
まず、高転移性のルシフェラーゼ発現マウス黒色腫として、ｍｅｔａｓｔａｔｉｃ  ｍｕｒｉｎｅ  ｍｅｌａｎｏｍａ  ｅｘｐｒｅｓｓｉｎｇ  ｌｕｃｉｆｅｒａｓｅ（Ｂ１６−Ｆ１０−Ｌｕｃ−Ｇ５）を作製し、健常マウス（ＢＡＬＢ／ｃ  ｎｕ／ｎｕ）の尾に皮下注射（１０６  ｃｅｌｌｓ／ｍＬ）した。この黒色腫は肺に転移するように作製した。
【００７６】
図６は、実際に肺転移癌モデルマウスを作製できたことを示す図である。ｍｅｔａｓｔａｔｉｃ  ｍｕｒｉｎｅ  ｍｅｌａｎｏｍａ  ｅｘｐｒｅｓｓｉｎｇ  ｌｕｃｉｆｅｒａｓｅ（Ｂ１６−Ｆ１０−Ｌｕｃ−Ｇ５）を皮下注射した肺転移癌モデルマウスに対して、ルシフェリン処理を行い、ＩＶＩＳ  ｉｍａｇｉｎｇ  ｓｙｓｔｅｍ（Ｘｅｎｏｇｅｎ）を用いて化学発光を定量した。この図の左部に示される写真は、尾にｍｅｔａｓｔａｔｉｃ  ｍｕｒｉｎｅ  ｍｅｌａｎｏｍａ  ｅｘｐｒｅｓｓｉｎｇ  ｌｕｃｉｆｅｒａｓｅ（Ｂ１６−Ｆ１０−Ｌｕｃ−Ｇ５）を皮下注射した肺転移癌モデルマウスをＩＶＩＳ  ｉｍａｇｉｎｇ  ｓｙｓｔｅｍを用いて撮影したものである。この写真に示されるように、尾に皮下注射した黒色腫は肺に転移することができる。また、この図の右部に示されるグラフは、横軸に細胞数、縦軸に発光量をとったグラフである。このグラフに示されるように、またその発光量に比例して細胞数も増加する。
【００７７】
続いて、この肺転移癌モデルマウスから肺細胞を採取し、セルストレイナーによって濾過し、細胞集塊を除去した。その後、本願発明に係るシアル酸検出ＦＥＴ（バイオセンサ）を用いて種々の細胞数で閾電圧値変化（ΔＶＴ，ｍＶ）を測定した。
【００７８】
図７は、ルシフェラーゼ発現マウス黒色腫（Ｂ１６−Ｆ１０−Ｌｕｃ−Ｇ５）をマウス肺に対して異なる転移度（０％、１５％、３０％）で転移させた検体のバイオルミネッセンス画像、摘出肺の肉眼画像、及び種々の細胞数における閾電圧値変化（ΔＶＴ，ｍＶ）を示すグラフである。この図で示されるように、皮下注射からの日数を経るごとに、肺への転移を示す発光量が増加し、種々の細胞数における閾電圧変化（ΔＶＴ，ｍＶ）も増加することがわかる。
【００７９】
図８は、本願発明に係るシアル酸検出ＦＥＴを用いて得られる閾値値電圧と癌転移度の関係を示すグラフである。図８Ａは本願発明に係るシアル酸検出ＦＥＴを用いて得られる閾値電圧であり、図８Ｂは従来の方法によって得られた、肺転移癌モデルマウスにおけるシアル酸量を示すグラフである。図８Ａに示されるように、種々の細胞数において、肺への転移度が増加するにつれて閾値電圧が増加することがわかる。このことは、肺への転移度が増加するにつれて当該細胞におけるシアル酸量が増加することを示す。また、同じ転移度で比較した場合にも、細胞数が増加するにつれて閾値電圧が増加している。この結果は、細胞数が増加するにつれてシアル酸量が増加することを示す。同じ実験系を用いて従来の方法でシアル酸を定量した結果が図８Ｂである。このグラフは、種々の細胞数におけるデータが図８Ａのそれとよく一致し、本願発明に係るシアル酸検出ＦＥＴが細胞糖鎖におけるシアル酸量を正確に測定できることを証明するものである。また、同様に、これらの結果は、本願発明に係るシアル酸検出ＦＥＴを用いることで、特定の細胞が疾患細胞であるかどうかを判定することができることを示すものである。
【００８０】
（結論）
以上のように、本願発明に係るシアル酸検出ＦＥＴが細胞表面上の糖鎖シアル酸を検出し、これにより、特定の細胞における疾患の有無を判別することができる。また、採取した全細胞当たりの疾患細胞と判断された細胞数を計算することで、癌細胞の特定の組織または部位への転移度を測定することもできる。
【００８１】
（本実施形態の変形例）
なお、この発明は、上述した一実施形態に限定されるものではなく、発明の要旨を変更しない範囲で種々変形可能である。
【００８２】
（第２の実施形態）
例えば、上述した第１の実施形態では、フェニルボロン酸基１４で被覆された検出表面１６が、ゲート１２上に直接形成されている構成を説明したが、検出表面１６はゲート１２としての検出媒体から離間して形成されてもよい。
【００８３】
図９は、そのような例の模式図を示すものである。すなわち、この例では、ゲート上に第１の金属層２５が設けられ、この第１の金属層２５と配線を介して接続された第２の金属層２６に、上記のような検出表面１６が形成されてなる。なお、ここで説明した以外の構成は、第１の実施形態と同様である。
【００８４】
このような構成によっても、上記第１の実施形態と全く同様の効果を得ることができる。
（第３、第４の実施形態）
【００８５】
また、上述した第１、第２の実施形態では、ＦＥＴを用いた例であったが、本願発明はこれに限定されるものではい。第３、第４の実施形態では、他の例として、表面プラズモン共鳴（Ｓｕｒｆａｃｅ  Ｐｌａｓｍｏｎ  Ｒｅｓｏｎａｎｃｅ：ＳＰＲ）、及びＱｕａｒｔｚ  Ｃｒｙｓｔａｌ  Ｍｉｃｒｏｂａｌａｎｃｅ（ＱＣＭ）をそれぞれ用いている。
【００８６】
なお、以下に説明する第３および第４の実施形態では、説明の便宜上、第１の実施形態と同様の構成については同一の符号を付し、その説明は簡略した。
【００８７】
図１０は、第３の実施形態として、前記ＳＰＲを用いた場合の例を示す模式図である。  
ＳＰＲとは、固相基板２８の一端面から金属層１３に臨界角以上の角度でレーザー光Ｌを入射させ、これにより、金属層１３と、この金属層１３の表面に被覆された試料との境界面に表面プラズモンを発生させるものである。
【００８８】
この例では、固相基板２８上に設けられた金属層１３にフェニルボロン酸基１４を被覆させ、この固相基板２８の一端面から測定光照射手段２９によって臨界角以上の角度でレーザー光Ｌを入射している。そして、これによって生じる反射光強度の変化を反射光測定手段３０によって検出し、その光学強度の減衰からフェニルボロン酸基被覆面の屈折率を求め、被検試料、すなわち細胞糖鎖由来のシアル酸を分析する。
【００８９】
本願発明に係るバイオセンサ８としてＳＰＲを用いる場合、表面プラズモン共鳴を起こす方法としては光ファイバー、プリズム、回折格子、光導波路等を用いる光学系を使用することができ、その材料、即ちバイオセンサにおける固相基板材料としては、ガラス、ポリマー樹脂、プラスティック等を使用することができる。表面プラズモン共鳴における測定の対象は、光の波長であっても入射反射の角度であってもよく、光源としてはＬＥＤ、ＬＤ、白色光等を、反射光測定手段３０としてはＣＣＤ、ＰＤ、光位置センサ等を用いることができる。
【００９０】
図１１は、第４の実施形態として、前記ＱＣＭを用いた場合の例を示す模式図である。  
ＱＣＭセンサ３３とは、水晶振動子３４の共振周波数変化から、水晶振動子３４表面に吸着または結合した微量物質の質量を測定できる小型で高感度な質量検出器である。このＱＣＭセンサ３３を用いた検出システムでは、フェニルボロン酸基１４が被覆された電極表面３５がシアル酸試料（溶液又はガス）に接着するようにＱＣＭセンサ３３を配置している。そして、フェニルボロン酸基１４とシアル酸試料との結合することによる電気的特性の変化、例えば、発振回路部３６の発振周波数等の変化を計測部３７によって計測する。
【００９１】
ＱＣＭセンサをシアル酸検出に利用する場合は、シアル酸に結合するフェニルボロン酸基１４を水晶振動子３４の電極表面３４上に形成したものを固相として用いることが好ましい。この水晶振動子３４をバッファー溶液で満たした容器の中に設置し、次にシアル酸を含む試料（細胞、又は細胞から得た糖鎖試料を）を添加する。シアル酸は、水晶振動子３４の電極表面３５上の固相に形成したフェニルボロン酸基１４に結合して質量負荷となり、水晶振動子３４の共振周波数を低下させる。ＱＣＭセンサの利点は、周波数変化量から直接、質量変化量が得られるので検量線が不要な点である。  
【符号の説明】
【００９２】
１…検出システム
２…プリント実装基板
３…バイオセンサ部
４…センサ駆動回路部
５…給電部
６…検出回路部
７…出力インタフェース部
８…バイオセンサ
９…半導体基板
１０…ソース
１１…ドレイン
１２…ゲート
１３…金属層
１４…フェニルボロン酸基
１５…測定セル壁
１６…検出表面
１７…参照電極
１８…電流計
１９…電源
２０…糖鎖
２１…シアル酸
２２…負電荷
２３…自己組織化単分子膜（ＳＡＭ）
２５…第１の金属層
２６…第２の金属層
２８…固相基板
２９…測定光照射手段
３０…反射光測定手段
３３…ＱＣＭセンサ
３４…水晶振動子
３５…電極表面
３６…発振回路部
３７…計測部
Ｌ…レーザー光
【図１】
2010107496.tif 000005
【図２】
2010107496.tif 000006
【図３】
2010107496.tif 000007
【図４】
2010107496.tif 000008
【図５】
2010107496.tif 000009
【図６】
2010107496.tif 000010
【図７】
2010107496.tif 000011
【図８】
2010107496.tif 000012
【図９】
2010107496.tif 000013
【図１０】
2010107496.tif 000014
【図１１】
2010107496.tif 000015